(57)【特許請求の範囲】
【請求項１】
化粧料を収容する容器本体と、
軸線方向の一方には開口している開口部が、他方には閉口している閉口部がそれぞれ設けられると共に、側面にはスリットが設けられ、前記容器本体に収容されている化粧料が前記スリットを通過して前記開口部より排出可能な円筒形状をした排出筒を備える移動部と、
前記排出筒が挿入可能とされている挿入孔を備える中筒部と、
前記排出筒の前記開口部を覆うと共に前記化粧料を外部へ流出させることを可能とする塗布体と、
を備える化粧料容器であって、
前記移動部は、
前記排出筒が前記中筒部の前記挿入孔に挿入されている状態で、第１の停止位置から軸線方向に離間する第２の停止位置に移動可能で当該第２の停止位置に留め置かれる構成を有し、
前記第１の停止位置に位置しているときは前記排出筒の前記閉口部が前記中筒部の前記挿入孔を塞いでおり、前記第２の停止位置に位置しているときは前記排出筒の側面の前記スリットを通過し前記開口部より前記塗布体へ前記化粧料が排出可能となるように前記排出筒が前記挿入孔の端面より一定長突出することを特徴とする化粧料容器。
【請求項２】
前記移動部は、前記第２の停止位置において、前記容器本体に突き当たり容器本体側への移動が不能にされると共に、前記中筒部に軸線方向に係合し容器本体側とは反対側への移動が不能にされることによって、前記第２の停止位置に留め置かれることを特徴とする請求項１記載の化粧料容器。
【請求項３】
前記排出筒は、その外周面に、前記移動部の前記第２の停止位置への移動の際に内側に撓み、前記移動部が前記第２の停止位置に位置すると、元の位置に弾性復帰し前記中筒部の底面に掛止されることで軸線方向に係合し前記容器本体側とは反対側への移動を不能とする爪部を備えたことを特徴とする請求項２記載の化粧料容器。
【請求項４】
前記移動部と前記容器本体との軸線方向の間に挟み込まれるようにして取り外し可能に装着されるストッパーを備え、
前記ストッパーが装着されることにより、前記移動部は、容器本体側への移動が不能とされて第１の停止位置に留め置かれることが可能とされることを特徴とする請求項１〜３の何れか一項に記載の化粧料容器。
【請求項５】
前記移動部は移動部側回転止めを備えると共に、前記中筒部は中筒部側回転止めを備え、
前記移動部側回転止めと前記中筒部側回転止めとによって、前記移動部は前記中筒部に周方向回転不能に係合することを特徴とする請求項１〜４の何れか一項に記載の化粧料容器。
【発明の詳細な説明】
【技術分野】
【０００１】
未使用時には化粧料を内部に密封でき、使用時にはその化粧料を外部に流出させて塗布できる化粧料容器に関する。
【背景技術】
【０００２】
従来、化粧料容器として、化粧料を収容する容器本体と、この容器本体を覆うようにその上部に装着されると共に、容器本体に収容された化粧料を使用すべく外部へ流出させるための開口を備えた蓋部と、を備え、容器本体内の化粧料のバージン性を保つため、容器本体内に化粧料を密封するための中蓋を有するものが知られている。このような化粧料容器にあっては、初回の使用開始時に容器本体からその上部の蓋部を取り外したあと中蓋を取り外し、再度、蓋部を容器本体に装着することが必要であるため、その作業が煩雑で取扱性に問題があった。
【０００３】
そこで、下記の特許文献１では、中蓋に代えて弁体を設け、化粧料容器のパフを使用者の皮膚に接触させながら叩いたり押したりすることで弁体が弁シート部材より離間して弁孔を開放し、粉末化粧料はこの開放された弁孔を通ってパフを通じ外部へ排出される一方で、使用者が皮膚からパフを離すと弁体が容器の軸線方向に移動し弁孔を遮断して容器本体を密閉させ、粉末化粧料の外部への排出を阻止する粉末化粧料容器の技術が開示されている。
【０００４】
また、下記の特許文献２には、中蓋に代えてシールボールを用いて隔壁部の接続孔を閉鎖させて塗布液を密閉し、継手部を本体軸側に移動させると継手部の後端接続部により接続孔からシールボールが押し出され、塗布液を外部へ排出可能とする液体塗布具の技術が開示されている。
【先行技術文献】
【特許文献】
【０００５】
【特許文献１】特開２００８−２５９６３６号公報
【特許文献２】特許第４３２１９０９号公報
【発明の概要】
【発明が解決しようとする課題】
【０００６】
しかしながら、特許文献１に記載の粉末化粧料容器では、パフを叩いたり押したりしているときにしか弁孔が開放されないため、使い方によっては弁孔の開放が充分ではなく排出される化粧料の量にバラツキがあった。また、粉末化粧料容器を使用中に化粧料が外部へ排出されない場合、使用者にとっては使い方が悪いのか弁孔が正常に開放されていないのかの判断をするのは難しかった。
【０００７】
また、特許文献２に記載の液体塗布具では、押し出されたシールボールが液体塗布具の使用時に接続孔の近傍に移動することは往々にして考えられ、その場合のシールボールは、塗布液を接続孔から塗布液吐出孔を介して外部へ排出する際の当該塗布液の流れを阻害する障害物でしかなく、安定して確実に塗布液を排出するには不都合な構成となっていた。
【０００８】
そこで、本発明は、未使用時には、容器に収容する化粧料を密封することが可能で、使用時には、目視で化粧料が外部に流出可能な状態であることを使用者が確認できると共に化粧料の流出量のバラツキがなく確実に化粧料を容器外部に流出させることが可能な化粧料容器を提供することを目的としている。
【課題を解決するための手段】
【０００９】
本発明による化粧料容器は、化粧料を収容する容器本体と、軸線方向の一方には開口している開口部が、他方には閉口している閉口部がそれぞれ設けられると共に、側面にはスリットが設けられ、容器本体に収容されている化粧料がスリットを通過して開口部より排出可能な円筒形状をした排出筒を備える移動部と、排出筒が挿入可能とされている挿入孔を備える中筒部と、排出筒の開口部を覆うと共に化粧料を外部へ流出させることを可能とする塗布体と、を備える化粧料容器であって、移動部は、排出筒が中筒部の挿入孔に挿入されている状態で、第１の停止位置から軸線方向に離間する第２の停止位置に移動可能で当該第２の停止位置に留め置かれる構成を有し、第１の停止位置に位置しているときは排出筒の閉口部が中筒部の挿入孔を塞いでおり、第２の停止位置に位置しているときは排出筒の側面のスリットを通過し開口部より塗布体へ化粧料が排出可能となるように排出筒が挿入孔の端面より一定長突出することを特徴としている。
【００１０】
このような化粧料容器によれば、移動部が第１の停止位置に位置しているときは、排出筒の閉口部が中筒部の挿入孔を塞いで化粧料Ａが密封され、移動部が第１の停止位置から軸線方向に離間する第２の停止位置に移動することにより、排出筒が挿入孔の端面より一定長突出し当該排出筒のスリットが露出して化粧料がスリット、排出筒内、開口部を通して外部に流出可能であるという態様が使用者に目視で確認可能とされ、さらに、移動部が第２の停止位置に留め置かれることにより、使用時に化粧料の流出がばらつかず確実に化粧料が容器外部に流出される。
【００１１】
ここで、上記作用を効果的に奏する構成としては、具体的には、移動部は、第２の停止位置において、容器本体に突き当たり容器本体側への移動が不能にされると共に、中筒部に軸線方向に係合し容器本体側とは反対側への移動が不能にされることによって、第２の停止位置に留め置かれる構成が挙げられる。
【００１２】
より具体的には、排出筒は、その外周面に、移動部の第２の停止位置への移動の際に内側に撓み、移動部が第２の停止位置に位置すると、元の位置に弾性復帰し中筒部の底面に掛止されることで軸線方向に係合し容器本体側とは反対側への移動を不能とする爪部を備える構成が挙げられる。
【００１３】
また、上記作用を効果的に奏する他の構成としては、具体的には、移動部と容器本体との軸線方向の間に挟み込まれるようにして取り外し可能に装着されるストッパーを備え、ストッパーが装着されることにより、移動部は、容器本体側への移動が不能とされて第１の停止位置に留め置かれることが可能とされる構成が挙げられる。
【００１４】
また、移動部は移動部側回転止めを備えると共に、中筒部は中筒部側回転止めを備え、移動部側回転止めと中筒部側回転止めとによって、移動部は中筒部に周方向回転不能に係合する構成であるのが好ましい。このような構成を採用した場合、移動部及び中筒部が回転方向に一体化されるため、例えば、化粧料容器を覆うキャップを移動部に装着する構成であり当該移動部にキャップの雌螺子と螺合する雄螺子を有する構成であっても、移動部及び中筒部がキャップと同期回転することはなく、容易に化粧料容器からキャップを取り外すことができる。
【発明の効果】
【００１５】
このように本発明によれば、未使用時には、容器に収容する化粧料を密封することが可能で、使用時には、目視で化粧料が外部に流出可能な状態であることを使用者が確認できると共に化粧料の流出量のバラツキがなく確実に化粧料を容器外部に流出させることが可能な化粧料容器を提供できる。
【図面の簡単な説明】
【００１６】
【図１】本発明の第１実施形態に係る化粧料容器を示す外観図であり、キャップとストッパーを装着した状態を示す斜視図である。
【図２】図１の状態からキャップを取り外した状態を示す斜視図である。
【図３】図１の状態からキャップとストッパーを取り外した状態を示す斜視図である。
【図４】図３の状態から移動部を第２の停止位置に移動させた状態を示す斜視図である。
【図５】図１に示す化粧料容器の縦断面図である。
【図６】図４に示す化粧料容器の縦断面図である。
【図７】図１に示す化粧料容器から取り外したストッパーを示す斜視図である。
【図８】図５及び図６中の排出筒を示す斜視図である。
【図９】本発明の第２実施形態に係る化粧料容器の排出筒を示す正面図である。
【図１０】図９に示す排出筒を左斜め上方から見た斜視図である。
【図１１】図９に示す排出筒を右斜め下方から見た斜視図である。
【図１２】本発明の第３実施形態に係る化粧料容器の排出筒を示す正面図である。
【図１３】図１２に示す排出筒を左斜め上方から見た斜視図である。
【図１４】図１２に示す排出筒を右斜め下方から見た斜視図である。
【図１５】本発明の第３実施形態に係る化粧料容器を示す縦断面図であり、図１２〜図１４に示す排出筒を備え、キャップとストッパーを装着した状態を示す縦断面図である。
【図１６】図１５中のＸ部拡大図である。
【図１７】図１５の状態からキャップとストッパーを取り外し移動部を第２の停止位置に移動させた状態を示す縦断面図である。
【図１８】図１７中のＹ部拡大図である。
【発明を実施するための形態】
【００１７】
以下、本発明による化粧料容器の好適な実施形態について図１〜図１８を参照しながら説明する。図１〜図８は、本発明の第１実施形態を、図９〜図１１は、本発明の第２実施形態を、図１２〜図１８は、本発明の第３実施形態を各々示すものであり、各図において、同一の要素には同一の符号を付し、重複する説明は省略する。
【００１８】
先ず、図１〜図８に示す第１実施形態を説明する。図１は、本発明の第１実施形態に係る化粧料容器を示す斜視図、図２は、図１の状態からキャップを取り外した状態を示す斜視図、図３は、図１の状態からキャップとストッパーを取り外した状態を示す斜視図、図４は、図３の状態から移動部を第２の停止位置に移動させた状態を示す斜視図、図５及び図６は、未使用時、使用時の化粧料容器を各々示す縦断面図、図７は、ストッパーを示す斜視図、図８は、排出筒を示す斜視図であり、本実施形態の化粧料容器は、例えば粉体化粧料を使用者により顔等の皮膚に施すときに用いられるものである。なお、本実施形態においては、化粧料を粉体として説明していくが、これが液体であっても良く、本発明に適用可能であれば化粧料の状態は限定するものではない。
【００１９】
図１〜図６に示すように、化粧料容器１００は、化粧料Ａを収容する容器本体１と、この容器本体１の上部に配置されその筒孔が容器本体１内と連通する中筒部２と、この中筒部２の筒孔内にその筒部が挿入され軸線方向に沿って一定区間移動可能とされた移動部３と、中筒部２の外周面に容器本体１と移動部３とに挟持されるようにして取り外し可能に装着され、移動部３の軸線方向下方への移動を防止するストッパー７と、化粧料Ａを外部へ流出させることが可能となるように移動部３に装着される塗布体１０と、移動部３に着脱可能に装着されるキャップ１１と、を具備して成る。
【００２０】
容器本体１は、図５に示すように、有底円筒状に構成され内部に化粧料Ａを収容するものであり、その上部に、下部より薄肉で上方に円筒状に突出する突出部１ａを備える。この突出部１ａの内周面には、周方向に沿って凹凸が密に並設されるローレット１ｂが、容器本体１と中筒部２とを周方向回転不能に結合するためのものとして設けられている。また、突出部１ａの外周面には、円環状の凸部１ｃが、容器本体１に対して中筒部２を軸線方向移動不能に結合するためのものとして設けられている。なお、容器本体１は、内部の化粧料Ａが見えるように、一部又は全部が透明であっても良い。
【００２１】
中筒部２は、上方向に延びる小径の円筒部２ａと、下方向に延びる大径の内側円筒部２ｂ及び外側円筒部２ｃとを、環状の平板部により繋いで成る。内側円筒部２ｂの外周面には、周方向に沿って、容器本体１の上記ローレット１ｂと噛み合う突条２ｄが複数設けられていると共に、外側円筒部２ｃの内周面には、容器本体１の上記円環状の凸部１ｃを嵌合するための円環状の凹部２ｅが設けられている。すなわち、中筒部２は容器本体１に対して周方向回転不能、且つ、軸線方向移動不能に結合されている。また、外側円筒部２ｃの外周面には、周方向に沿って、上下方向に延びる凸形状の中筒部側回転止め２ｆが、中筒部２と移動部３（外側移動体４）とを周方向回転不能に結合するものとして複数設けられている。
【００２２】
また、中筒部２の円筒部２ａは、その内周面が、容器本体１の内部に連通する連通孔２ｈとされており、この連通孔２ｈは、移動部３の後述する排出筒６が挿入可能な挿入孔となっている。そして、円筒部２ａの外周面には、その上部から下部に向かう中間位置辺りに円環状の凸部２ｋが形成されることで、この凸部２ｋを挟んだ上側及び下側の位置に上下方向に延びる円環状の凹部２ｍ，２ｇが形成され、上側の凹部２ｍより上側は、凸部２ｋとほぼ外径が同径で内径が連通孔２ｈより大径の段部２ｊとされている。この段部２ｊは、移動部３が図５に示す第１の位置に位置しているときに当該移動部３（内側移動体５）の軸線方向上方への移動を制限する（離脱を阻止する）ものであると共に、凸部２ｋは、移動部３が図６に示す第２の位置に位置しているときに当該移動部３（内側移動体５）の軸線方向上方への移動を制限する（離脱を阻止する）ものである。さらに、円筒部２ａの内周面の下部には、図５に示すように、移動部３の後述する排出筒６の外周面に設けられているシール部６ｄが当接する受け部２ｉが設けられている。この連通孔２ｈの下部の受け部２ｉの内径は、これより上側の連通孔部分の内径より小径とされている。
【００２３】
移動部３は、外側に位置する外側移動体４と、この外側移動体４の内側に位置する内側移動体５と、さらに、この内側移動体５の内側に位置する排出筒６と、で構成されており、本実施形態においては軸線方向に同一に移動することが可能となっている。
【００２４】
外側移動体４は、上部に小径の上部円筒部４ａと、下部に大径の下部円筒部４ｂを備えている。この上部円筒部４ａには、外周面にキャップ１１を装着するための雄螺子４ｃが設けられており、また、内周面の下側に、内側移動体５を軸線方向移動不能に嵌合するための円環状の突部４ｄが設けられている。そして、下部円筒部４ｂの内周面には、周方向に沿って凹凸が密に並設され中筒部２の中筒部回転止め２ｆと噛み合うローレットである移動部側回転止め４ｅが設けられており、これにより、外側移動体４（移動部３）と中筒部２は周方向回転不能に結合されることになる。
【００２５】
なお、本実施形態では、移動部側回転止め４ｅをローレットとし、中筒部回転止め２ｆをこの移動部側回転止め４ｅと噛み合うことが可能な凸形状としていが、これら移動部側回転止め４ｅ及び中筒部回転止め２ｆの形状は、移動部３が周方向回転不能となるように中筒部２と結合可能な形状であれば、本実施の形態以外の形状でも良い。
【００２６】
内側移動体５は、凹形状のような上部５ａ及び凹形状を逆さまにしたような下部５ｂが大径に構成されると共に、これらの上部５ａと下部５ｂとをこれらの内周側で連結する円筒形状の中間部５ｃが小径に構成されている。上部５ａは、塗布体１０の後述する弾性部８の底部の一部又は全部を径方向外側から挟み込むことが可能な形状を有しており、その外周面には鍔部５ｆが設けられ、内周面には排出筒６を軸線方向移動不能に嵌合するための円環状の突部５ｇが設けられている。また、下部５ｂは、外周面に外側移動体４の突部４ｄと嵌合可能な嵌合部５ｄが設けられており、この嵌合により内側移動体５と外側移動体４とが軸線方向移動不能となる。そして、中間部５ｃは、内周面に凸部５ｈが設けられており、この凸部５ｈが中筒部２の段部２ｊに下側から当接することにより内側移動体５（移動部３）の第１の停止位置から上方への移動が止められる。また、図６に示すように、凸部５ｈが中筒部２の凸部２ｋを乗り越え凹部２ｇに進入し凸部２ｋに下側から当接することにより内側移動体５（移動部３）の第２の停止位置から上方への移動が止められる。
【００２７】
排出筒６は、図８に示すように、円筒形状をしており、その外径は中筒部２の挿入孔２ｈに挿入可能な径とされ、挿入孔２ｈに挿入される（図５参照）。さらに、排出筒６は、一方の端（上端）に開口している開口部６ａが設けられると共に他方の端（下端）に閉口している底面部（閉口部）６ｂが設けられており、さらに、その排出筒６の側面には、周方向に沿って、化粧料Ａが通過可能なスリット６ｃが並設されている（ここでは４個）。このスリット６ｃは、下部から上部に亘る側面視縦長の略長方形状に構成されている。また、図５に示すように、排出筒６の外周面の上部には、内側移動体５の突部５ｇと軸線方向移動不能に嵌合する嵌合部６ｅが設けられており、外周面の下部には、中筒部２の受け部２ｉと当接するシール部６ｄが設けられている。この排出筒６のシール部６ｄの外径と中筒部２の受け部２ｉの内径とは略同径とされ、受け部２ｉとシール部６ｄとが圧入により嵌合されることで、その間を化粧料Ａが通過不可能となっている。
【００２８】
この移動部３は、上述したように、突部４ｄが嵌合部５ｄに嵌合されることで、外側移動体４と内側移動体５とが軸線方向移動不能に嵌合され、突部５ｇが嵌合部６ｅに嵌合されることで、内側移動体５と排出筒６とが軸線方向移動不能に嵌合される。このようにして、外側移動体４と内側移動体５と排出筒６が軸線方向に同一に移動可能となるように構成されている。
【００２９】
このように、移動部３は、その排出筒６が挿入孔２ｈに挿入され、排出筒６の底面部６ｂが挿入孔２ｈの底面（端面）より下方に突出することなく略面一となるように受け部２ｉとシール部６ｄとが嵌合し、凸部５ｈが段部２ｊと当接する状態にある（若干の隙間があっても良い）ことを、移動部３が第１の停止位置に位置しているとする。
【００３０】
さらに、図６に示すように、移動部３が軸線方向下方に移動し、凸部５ｈが凸部２ｋを乗り越え凹部２ｇに進入すると、排出筒６が挿入孔２ｈの底面から一定長下方に突出し、スリット６ｃが挿入孔２ｈから露出することになる。このように排出筒６が一定長突出状態にあることを、移動部３が第２の停止位置に位置しているとする。
【００３１】
ストッパー７は、図１、図２及び図５に示すように、中筒部２の外側円筒部２ｃの外周を囲むと共に、外側移動体４と容器本体１とで軸線方向に挟み込むようにして化粧料容器１００に装着されている。このストッパー７は、化粧料容器１００に装着されているときは円環形状をしており、外周面に把手７ａが設けられると共に、所定の力が加わると分離する接合部７ｂ（図７参照）が好ましくは把手７ａの対向位置に設けられている。このストッパー７の接合部７ｂは、例えばストッパー７が化粧料容器１００に装着されているときに使用者が把手７ａを把持して化粧料容器１００の軸線に対して水平方向に引くことで当該接合部７ｂが分離し、化粧料容器１００からの取り外しが可能とされている。
【００３２】
図７は、接合部７ｂが分離したストッパー７の図であるが、この図においては接合部７ｂはストッパー７が円環状となっているときに把手７ａの対向位置に設けられている。なお、接合部７ｂの設置位置は特に限定されるものではなく、使用者が把手７ａを持って水平方向に力を入れたときに接合部７ｂが分離可能であれば、円環状のストッパー７のどの位置に接合部７ｂが設けられていても良い。
【００３３】
そして、このストッパー７が、図１、図２及び図５に示すように、外側移動体４と容器本体１との軸線方向の間に挟み込まれて化粧料容器１００に装着されていることで、移動部３の軸線方向下方への移動を不能としており（容器本体側への移動を不能としており）、前述した凸部５ｈと段部２ｊとの軸線方向の係合による移動部３の軸線方向上方への移動不能と伴って、移動部３を第１の停止位置に留めて置くことが可能となる。
【００３４】
図２〜図６に示すように、塗布体１０は、弾性部８及びアプリケータ９から構成されている。弾性部８は、その外面が外側へ膨らみ半球形状を成し、化粧料Ａが通り抜け可能な例えば発泡ウレタン、ＮＢＲ等の多孔質材の弾性体で構成される。この弾性部８の略中央には、図５及び図６に示すように、排出筒６の開口部６ａとアプリケータ９とを連通する孔である流出孔８ａが設けられており、化粧料Ａを外部へ流出させるための主経路となっている。
【００３５】
そして、弾性部８は、流出孔８ａが排出筒６の開口部６ａと連通する位置にくるように、当該弾性部８の底部の一部又は全部が内側移動体５の上部５ａの径方向内側に挟み込まれるようにして内側移動体５の上に載置される。このように載置された弾性部８においては、排出筒６の開口部６ａを通ってきた化粧料Ａを主に流出孔８ａを通して外部へ流出可能となっているが、弾性部８は多孔質材で構成されているので流出孔８ａ以外からも流出は可能となる。
【００３６】
アプリケータ９は、弾性部８を通して流出する化粧料Ａを皮膚に塗布感良く塗布するためのものであり、弾性部８と同様に、その外面が外側へ膨らみ半球形状を成す構成となっている。そして、アプリケータ９は、弾性部８の外側に密着するように、その半球形状の下部が、内側移動体５の鍔部５ｆの外周面と外側移動体４の上部円筒部４ａの内周面との間に挟持されており、これにより、アプリケータ９及び弾性部８とが移動部３に装着されている。
【００３７】
このようなアプリケータ９は、弾性部８と同様に、化粧料Ａが通り抜け可能な例えば発泡ウレタン、ＮＢＲ等の多孔質材の弾性体で構成される。そして、このアプリケータ９は、上記多孔質材のスポンジやパフ等の片面に植毛を施したものとされる。
【００３８】
このような構成の塗布体１０は、化粧料Ａを外部へ流出可能とし被塗布面である皮膚等に化粧料Ａを塗布することが可能となる。また、塗布体１０は、移動部３に装着されていることから、移動部３が軸線方向に移動するときも同一に移動するものとなる。
【００３９】
図１及び図５に示すように、キャップ１１は、上部が閉じられた円筒形状の蓋であり、その内周面に外側移動体４の雄螺子４ｃと螺合する雌螺子１１ａを有し、この雌螺子１１ａと雄螺子４ｃとが螺合することにより移動部３に装着される。
【００４０】
ここまで説明してきた構成の化粧料容器１００にあっては、先ず、使用開始前は、図１、図２及び図５に示すようにストッパー７が装着され、移動部３は、ストッパー７による軸線方向下方への移動不能、及び、凸部５ｈと段部２ｊによる軸線方向上方への移動不能によって、第１の停止位置に留め置かれている。
【００４１】
この第１の停止位置では、移動部３の排出筒６のシール部６ｄと中筒部２の円筒部２ａの受け部２ｉとが嵌合し、その間を化粧料Ａが通ることは不可能となっている。また、排出筒６の閉口している底面部６ｂが挿入孔２ｈの底面から下方に突出していないことから、容器本体１に収容されている化粧料Ａが挿入孔２ｈ又は排出筒６内を通過することは不可能となっている。すなわち、ストッパー７が化粧料容器１００に装着されている状態では、移動部３が第１の停止位置に留め置かれ、底面部６ｂが挿入孔２ｈを閉鎖する弁の役割を果たし、シール部６ｄと受け部２ｉとが嵌合することで、容器本体１に収容されている化粧料Ａを密封している。これにより、化粧料容器１００の運搬、保存時にあって、不用意に化粧料Ａが容器本体１から外部へ排出されることを防止することができる。
【００４２】
次いで、使用開始時には、先ずキャップ１１が化粧料容器１００に装着されている状態でストッパー７を取り除き、使用者は移動部３を所定の大きさ以上の力で下方へ押し込む。これにより、移動部３は、図６に示すように、内側移動体５の凸部５ｈが中筒部２の凸部２ｋを乗り越え凹部２ｇに進入すると共に容器本体１に突き当たる第２の停止位置に移動し、容器本体１に突き当たることによる軸線方向下方（容器本体側）への移動不能、及び、凸部５ｈと凸部２ｋによる軸線方向上方（容器本体側とは反対側）への移動不能によって、第２の停止位置に留め置かれる。
【００４３】
この移動部３の第２の停止位置への移動により、挿入孔２ｈの底面から排出筒６が一定長下方に突出すると共に、スリット６ｃの下部が挿入孔２ｈから露出することになり、これにより、化粧料Ａがスリット６ｃ、開口部６ａを通過可能な状態となる。すなわち、移動部３を第２の停止位置に移動させることで、底面部６ｂによる挿入孔２ｈの閉鎖が開放され（弁が開とされ）、容器本体１に密封されていた化粧料Ａが、スリット６ｃ、排出筒内、排出筒開口部６ａを通って化粧料容器１００外へ排出されることが可能となる。そして、移動部３が第２の停止位置へ移動した後、キャップ１１を化粧料容器１００より外し使用準備が整う。
【００４４】
また、図３に示すように、ストッパー７が化粧料容器１００より取り除かれた後であって移動部３が第１の停止位置にある場合は、中筒部２の一部が見えているが、図４に示すように、移動部３が第２の停止位置に移動した後は、中筒部２は移動部３に隠れてしまう。そこで、使用者は、移動部３が軸線方向下方へ移動した状態を化粧料容器１００の外観から判断することによって、化粧料容器１００が化粧料Ａを排出可能な状態にあること（排出筒６が挿入孔２ｈの底面より一定長下方に突出しスリット６ｃが露出していること）を確認することができる。さらに、容器本体１の一部又は全部が透明となっている場合は、排出筒６が挿入孔２ｈの底面より一定長突出しているか否かを、直接目視で確認することもできる。
【００４５】
なお、移動部３を第２の停止位置へ移動させたときに、挿入孔２ｈの底面から突出する排出筒６の長さは、スリット６ｃが露出し、使用者の使用に際して適量の化粧料Ａが排出可能である長さであれば良い。また、キャップ１１を外す際、外側移動体４（移動部３）と中筒部２とが周方向回転不能に結合されていると共に、中筒部２と容器本体１とが周方向回転不能に結合されているため、使用者が容器本体１を持ってキャップ１１を螺合解除する方向へ回転させても、移動部３及び中筒部２がキャップ１１と同期回転することはなく、容易に化粧料容器１００からキャップ１１を取り外すことができる。
【００４６】
そして、使用にあたっては、塗布体１０を顔等の皮膚に軽く叩き付け押し当てるようにすると、容器本体１内の化粧料Ａは、スリット６ｃから排出筒６内に進入し、この排出筒６内を通って開口部６ａから塗布体１０へ向かい、塗布体１０を構成する多孔質材の弾性部８及びアプリケータ９を通して流出し、塗布に供される。この塗布時にあっては、弾性体である弾性部８が、アプリケータ９を介して皮膚に間接的に押し当てられることで、塗布感が向上されると共に、直接皮膚に押し当てられるアプリケータ９の塗布面（表面）には植毛が成されているため、使用者の塗布感はさらに向上される。
【００４７】
この塗布時にあっては、移動部３は第２の停止位置に留め置かれているため、使用者が化粧料容器１００を使用している最中に、移動部３が不意に第１の停止位置へ移動してしまい、化粧料Ａの排出量にバラツキが生じたり化粧料Ａが排出されなかったりという不具合を防止することができ、常に一定量の化粧料Ａが排出される。
【００４８】
また、弾性部８の略中央には、開口部６ａとアプリケータ９とを連通する流出孔８ａが形成されており、化粧料Ａは流出孔８ａを主経路として通りアプリケータ９を介して化粧料容器１００外へ流出される。このように流出孔８ａを弾性部８に設けることで、纏まった量の化粧料Ａを、アプリケータ９の表面の任意の箇所に誘導することができるため、使用者にとっての使い勝手が向上される。
【００４９】
また、弾性部８は、化粧料Ａが通過可能な多孔質材で構成しているため、当然、化粧料Ａは、流出孔８ａ以外の弾性部８の内部を通り、アプリケータ９を介して化粧料容器１００外への流出も可能とされている。
【００５０】
図９〜図１１は、本発明の第２実施形態に係る化粧料容器の排出筒を示す各図である。
【００５１】
この第２実施形態の化粧料容器が第１実施形態の化粧料容器と違う点は、排出筒６の構成を変更した点であり、排出筒６に代えて排出筒１６が用いられている。
【００５２】
この排出筒１６は、具体的には、移動部３が第２の停止位置へ移動したときに、挿入孔２ｈから下方に突出し露出している排出筒６の下部側面部分（図６参照）のみにスリット１６ｃを設けたものであり、ここでは、スリット１６ｃは、周方向に沿って２個が開口され同方向に長尺な側面視横長の略長方形状に構成されている。
【００５３】
このような構成によれば、移動部３が第２の停止位置へ移動したときに、排出筒１６のスリット１６ｃのほぼ全部が挿入孔２ｈから下方に突出して露出することになるが、その作用は第１実施形態と同様であり、第１実施形態と同様に使用に際し適量の化粧料Ａを排出できる。
【００５４】
図１２〜図１４は、本発明の第３実施形態に係る化粧料容器の排出筒を示す各図である。
【００５５】
この第３実施形態の排出筒２６にあっては、第２実施形態の排出筒１６のスリット１６ｃとほぼ同様な構成の側面視横長の略長方形状を成すスリット２６ｃを、下部側面部分に周方向に沿って複数個（ここでは２個）具備すると共に、このスリット２６ｃの上縁の周方向両側に、上方に延びて内外を連通する側面視縦長のスリット２６ｆをそれぞれ備え、側面視横長の略長方形状を成すスリット２６ｃと側面視縦長のスリット２６ｆ，２６ｆとにより囲まれる断面円弧状の周壁部分２６ｇを有している。
【００５６】
この周壁部分２６ｇは、周方向両側のスリット２６ｆ，２６ｆにより、上端支持で径方向に弾性を有する構成とされている。そして、この周壁部分２６ｇの下端には、周方向に沿って径方向外方に突出する爪部２６ｈが円弧状に設けられている。
【００５７】
次いで、図１２〜１４に示す排出筒２６を備えた第３実施形態の化粧料容器について説明する。図１５は、本発明の第３実施形態に係る化粧料容器の未使用時の縦断面図であって、図５に対応する図、図１６は、図１５中のＸ部拡大図、図１７は、図１５に示す化粧料容器の使用時の縦断面図であって、図６に対応する図、図１８は、図１７中のＹ部拡大図である。
【００５８】
図１５に示すように、化粧料容器２００にあっては、第１実施形態の排出筒６に代えて上記排出筒２６が用いられており、図１５及び図１６に示すように、排出筒２６の底部外周のシール部６ｄは、第１実施形態と同様に、中筒部２の筒孔下部の受け部２ｉに嵌合し、その間を化粧料Ａが通過不可能となっている。このとき、排出筒２６の爪部２６ｈは、特に図１６に示すように、中筒部２の連通孔２ｈの軸線方向中程で、当該連通孔２ｈの内周面に近接するように配置されている。他の構成は第１実施形態と同様である。
【００５９】
そして、第１実施形態と同様な外側移動体４及び内側移動体５と、本実施形態の排出筒２６とにより、第１実施形態でいうところの移動部２３が構成されている。
【００６０】
このような化粧料容器２００にあって、使用者により移動部２３が図１５に示す第１の位置から図１７及び図１８に示す第２の停止位置へ移動されると、移動部２３の第２の停止位置への移動の際、具体的には、排出筒２６の爪部２６ｈが中筒部２の他の孔径より小径の受け部２ｉを下方へ通過する際に、当該爪部２６ｈが径方向内側に撓み、移動部２３が、図１７に示すように、第２の停止位置に位置すると、特に図１８に示すように、爪部２６ｈは受け部２ｉを通り越して元の位置に弾性復帰し中筒部２の底面に掛止されて軸線方向に係合し、これにより、移動部２３は容器本体側とは反対側（軸線方向上方）への移動が不能とされる。
【００６１】
そして、この状態では、第２実施形態と同様に、排出筒２６のスリット２６ｃのほぼ全部が挿入孔２ｈから下方に突出して露出するため、第１、第２実施形態と同様に使用に際し適量の化粧料Ａを排出できる。
【００６２】
なお、爪部２６ｈと中筒部２の底面との係合のみにより、移動部２３を容器本体側とは反対側へ移動不能とするようにしても良く、また、第１実施形態で説明した内側移動体５の凸部５ｈと中筒部２の凸部２ｋとの係合の補助として機能させるようにしても良く、さらには、爪部２６ｈによる係合を主とし、内側移動体５の凸部５ｈと中筒部２の凸部２ｋとの係合を補助として機能させるようにしても良い。
【００６３】
以上、本発明をその実施形態に基づき具体的に説明したが、本発明は上記実施形態に限定されるものではない。例えば、移動部は、外側移動体と内側移動体と排出筒の３つの部材で構成されているが、これを全て一体成形し一つの部材で移動部を形成しても良い。
【００６４】
また、スリット６ｃの形状は、側面視縦長の略長方形状に構成され、スリット１６ｃ，２６ｃの形状は、側面視横長の略長方形状に構成されているが、略長方形状に限定されるものではなく、化粧料Ａが通行可能な形状であれば、例えば側面視楕円形、菱形等でも良い。
【００６５】
また、弾性部８の流出孔８ａは、排出筒６，１６，２６の直径と略同径であると共に排出筒６，１６，２６の開口部６ａよりも大きい直径とされ、排出筒６，１６，２６の上方に円柱形状として設けられているが、開口部６ａとアプリケータ９との間を連通している形状であれば、これらの直径や形状に限定されるものではなく、複数の流出孔８ａを設けるようにしても良い。例えば流出孔８ａの直径を開口部６ａよりも小径としたり、図示する直径よりも大径とすることも可能である。また、その形状も三角柱形状、四角柱形状等としても良く、これらを複数設けても良い。また、開口部６ａからアプリケータ９に向かって複数の流出孔８ａが放射状に設けられても良い。
【符号の説明】
【００６６】
１…容器本体、２…中筒部、２ｆ…中筒部側回転止め、２ｈ…挿入孔、２ｋ…凸部、３，２３…移動部、４ｅ…移動部側回転止め、５ｈ…凸部、６，１６，２６…排出筒、６ａ…開口部、６ｂ…底面部（閉口部）、６ｃ，１６ｃ，２６ｃ…スリット、７…ストッパー、１０…塗布体、２６ｈ…爪部、１００，２００…化粧料容器、Ａ…化粧料。
【図１】
0005118734.tif 000002
【図２】
0005118734.tif 000003
【図３】
0005118734.tif 000004
【図４】
0005118734.tif 000005
【図５】
0005118734.tif 000006
【図６】
0005118734.tif 000007
【図７】
0005118734.tif 000008
【図８】
0005118734.tif 000009
【図９】
0005118734.tif 000010
【図１０】
0005118734.tif 000011
【図１１】
0005118734.tif 000012
【図１２】
0005118734.tif 000013
【図１３】
0005118734.tif 000014
【図１４】
0005118734.tif 000015
【図１５】
0005118734.tif 000016
【図１６】
0005118734.tif 000017
【図１７】
0005118734.tif 000018
【図１８】
0005118734.tif 000019